(57)【要約】【課題】内容液が充填された容器体の口部に装着された装着筒に、押し下げた状態で螺着されたノズルヘッドの螺脱を防止するノズルヘッドカバーを提供する。【解決手段】本発明のノズルヘッドカバー１は、天壁２と、天壁２から垂下してノズルヘッド１３の少なくとも半周域を取り囲むとともに、その前方に、ノズル１４を収容するノズル収容部４を有する側壁３と、を備え、側壁３は、ノズルヘッド１３に対して着脱するための開口５から前方に延びる上下一対のスリット６により形成され、ノズルヘッド１３を係合保持する係合片３と、側壁３の下端部から径方向内側に突出して装着筒１２の下端面１２ａに係合するフランジ８とを有し、天壁３は、ノズルヘッド１３が装着筒１２から螺脱される過程でノズルヘッド１３の上面に最初に当接する支持部９を有し、支持部９におけるノズルヘッド１３の上面１３ａに最初に当接する当接位置が、スリット６の前方端６ａよりも前方側であることを特徴とする。【選択図】図１
2016049991.tif 000002
【特許請求の範囲】
【請求項１】
容器体の口部に装着された装着筒に上方付勢状態で螺着されたノズルヘッドに対して着脱自在に装着され、該ノズルヘッドの装着筒からの螺脱を防止するノズルヘッドカバーであって、
該ノズルヘッドへの装着状態で、
該ノズルヘッドの上方に配置される天壁と、
該天壁から垂下して前記ノズルヘッドの少なくとも半周域を取り囲むとともに、その前方に、前記ノズルを収容するノズル収容部を有する側壁と、を備え、
該側壁は、前記ノズルヘッドに対して着脱するための開口から前方に延びる上下一対のスリットにより形成され、該ノズルヘッドを係合保持する係合片と、
該側壁の下端部から径方向内側に突出して前記装着筒の下端面に係合するフランジとを有し、
前記天壁は、前記ノズルヘッドが装着筒から螺脱される過程で該ノズルヘッドの上面に最初に当接する支持部を有し、
該支持部における該ノズルヘッドの上面に最初に当接する当接位置が、前記スリットの前方端よりも前方側であることを特徴とするノズルヘッドカバー。
【請求項２】
前記支持部は、前記天壁から垂下する支持リブであり、
該支持リブは、側面視において、前記ノズル収容部の先端から前記天壁の中心に向かって延びて、前記スリットの前方端の手前で終端する、請求項１に記載のノズルヘッドカバー。
【請求項３】
前記支持部は、前記天壁の高さが変化する境界部分に形成される段差部であり、
該段差部は、平面視において、前記ノズル収容部の延在方向に直交して直線状に延びる、請求項１に記載のノズルヘッドカバー。
【請求項４】
前記支持部は、前記天壁の高さが変化する境界部分に形成される段差部であり、
該段差部は、平面視において、前記ノズルヘッドへの装着状態で該ノズルヘッドの中心軸線上の点を中心として円弧状に延びる湾曲部と、該湾曲部の両側で直線状に延びる直線部とで構成されている、請求項１に記載のノズルヘッドカバー。
【請求項５】
前記支持部は、前記ノズルヘッドの上面に最初に当接する面が、該上面に沿った形状である、請求項３又は４に記載のノズルヘッドカバー。
【発明の詳細な説明】
【技術分野】
【０００１】
本発明は、容器体の口部に装着された装着筒に対して、上方付勢状態で螺着されたノズルヘッドの螺脱を防止するためのノズルヘッドカバーに関する。
【背景技術】
【０００２】
従来、シャンプー、ボディソープ、洗剤等の内容液が充填された容器体に装着され、ノズルヘッドの押圧、復帰動作によりポンプを作動させて内容液を注出する液体噴出器が知られている（例えば、特許文献１）。このような液体噴出器においては、容器体の口部に装着された装着筒に対して、ノズルヘッドを押し下げた状態で螺着し、ノズルヘッドの上下動を不能とすることで開栓前の液漏れを防止している。そして、内容液を注出する際には、装着筒からノズルヘッドを螺脱することでノズルヘッドの上下動が可能となる。
【先行技術文献】
【特許文献】
【０００３】
【特許文献１】特開平１１−０４７６４９号公報
【発明の概要】
【発明が解決しようとする課題】
【０００４】
上記のような液体噴出器にあっては、店頭で販売する際、装着筒に螺着したノズルヘッドが子供のいたずら等によって螺脱され、内容液が注出される虞があった。
【０００５】
それゆえ本発明は、内容液が充填された容器体の口部に装着された装着筒に、押し下げた状態で螺着されたノズルヘッドの螺脱を防止するノズルヘッドカバーを提供することを目的とする。
【課題を解決するための手段】
【０００６】
本発明は、上記課題を解決するためになされたものであり、本発明のノズルヘッドカバーは、容器体の口部に装着された装着筒に上方付勢状態で螺着されたノズルヘッドに対して着脱自在に装着され、該ノズルヘッドの装着筒からの螺脱を防止するノズルヘッドカバーであって、
該ノズルヘッドへの装着状態で、
該ノズルヘッドの上方に配置される天壁と、
該天壁から垂下して前記ノズルヘッドの少なくとも半周域を取り囲むとともに、その前方に、前記ノズルを収容するノズル収容部を有する側壁と、を備え、
該側壁は、前記ノズルヘッドに対して着脱するための開口から前方に延びる上下一対のスリットにより形成され、該ノズルヘッドを係合保持する係合片と、
該側壁の下端部から径方向内側に突出して前記装着筒の下端面に係合するフランジとを有し、
前記天壁は、前記ノズルヘッドが装着筒から螺脱される過程で該ノズルヘッドの上面に最初に当接する支持部を有し、
該支持部における該ノズルヘッドの上面に最初に当接する当接位置が、前記スリットの前方端よりも前方側であることを特徴とする。
【０００７】
また、本発明のノズルヘッドカバーにあっては、前記支持部は、前記天壁から垂下する支持リブであり、
該支持リブは、側面視において、前記ノズル収容部の先端から前記天壁の中心に向かって延びて、前記スリットの前方端の手前で終端することが好ましい。
【０００８】
また、本発明のノズルヘッドカバーにあっては、前記支持部は、前記天壁の高さが変化する境界部分に形成される段差部であり、
該段差部は、平面視において、前記ノズル収容部の延在方向に直交して直線状に延びることが好ましい。
【０００９】
また、本発明のノズルヘッドカバーにあっては、前記支持部は、前記天壁の高さが変化する境界部分に形成される段差部であり、
該段差部は、平面視において、前記ノズルヘッドへの装着状態で該ノズルヘッドの中心軸線上の点を中心として円弧状に延びる湾曲部と、該湾曲部の両側で直線状に延びる直線部とで構成されていることが好ましい。
【００１０】
また、本発明のノズルヘッドカバーにあっては、前記支持部は、前記ノズルヘッドの上面に最初に当接する面が、該上面に沿った形状であることが好ましい。
【発明の効果】
【００１１】
本発明によれば、内容液が充填された容器体の口部に装着された装着筒に、押し下げた状態で螺着されたノズルヘッドの螺脱を防止するノズルヘッドカバーを提供することが可能となる。
【図面の簡単な説明】
【００１２】
【図１】（ａ）は、本発明の一実施形態に係るノズルヘッドカバーをノズルヘッドに装着した状態の側面図であり、（ｂ）は、図１（ａ）に示すノズルヘッドカバーの側面視での断面図（ノズルヘッドは側面図）である。
【図２】（ａ）は、図１（ａ）に示すノズルヘッドカバーの平面図であり、（ｂ）は、本発明の他の実施形態に係るノズルヘッドカバーの平面図である。
【図３】（ａ）は、さらに他の実施形態に係るノズルヘッドカバーの平面図であり、（ｂ）は、図３（ａ）に示すノズルヘッドカバーの側面視での断面図である。
【図４】（ａ）は、さらに他の実施形態に係るノズルヘッドカバーの平面図であり、（ｂ）は、図４（ａ）に示すノズルヘッドカバーの正面視での半断面図である。
【図５】（ａ）は、参考例としてのノズルヘッドカバーをノズルヘッドに装着した状態で回転した様子を示す平面図であり、（ｂ）は、図５（ａ）に示すノズルヘッドカバーの側面図であり、（ｃ）は、図５（ｂ）に示すノズルヘッドカバーの側面視での断面図である。
【発明を実施するための形態】
【００１３】
以下、図面を参照して、本発明をより具体的に例示説明する。図１（ａ）、（ｂ）に示すように、本発明の一実施形態に係るノズルヘッドカバー１は、容器体１０の口部１１に装着された装着筒１２に螺着されたノズルヘッド１３に対して着脱自在に装着され、ノズルヘッド１３と装着筒１２を上下に挟み込んで、ノズルヘッド１３の上昇を防止するものである。
【００１４】
容器体１０は、例えばシャンプー、ボディソープ、又は洗剤等の内容液が充填された有底筒状の胴部と、その上端に一体に設けられた円筒状の口部１１とを備え、口部１１には、装着筒１２が装着されている。なお、口部１１と装着筒１２との係合構造は特に限定されず、例えば、相互に設けたねじ部によるねじ係合としても良いし、相互にそれぞれ設けた凹部と凸部との嵌合により係合保持されるものとしても良い。
【００１５】
ノズルヘッド１３は、装着筒１２の上端中央の開口より上方付勢状態で上下移動可能に突出させたステムの上端に固定されており、図１（ｂ）に示すように、装着筒１２に対して、押し下げた状態で螺着可能な構成とされている。すなわち、ノズルヘッド１３側及び装着筒１２側相互に、対応するねじ部が設けられ、ねじ係合可能に構成されている。
【００１６】
図１（ｂ）に示すように、装着筒１２にノズルヘッド１３が螺着された状態において、ノズルヘッド１３は上下動不能となる。なお、内容液を注出させる場合には、装着筒１２からノズルヘッド１３を螺脱方向に回転させて引き出す。引き出されたノズルヘッド１３は上下動可能となり、ノズルヘッド１３の押圧、復帰動作を繰り返し行うことにより装着筒１２の内側に設けたポンプが作動して、容器体１０内部に垂下するシリンダから内容液を吸い上げてノズル１４から内容液を注出することができる。
【００１７】
ノズルヘッドカバー１は、図１（ａ）、（ｂ）に示すノズルヘッド１３への装着状態において、ノズルヘッド１３の上方に配置される天壁２と、天壁２から垂下してノズルヘッド１３の少なくとも半周域を取り囲む側壁３とを備える。本実施形態において側壁３は、天壁２から垂下する上部側壁３ａと、上部側壁３ａの下方で装着筒１２の外側に位置し、上部側壁３ａよりも大径の下部側壁３ｂとで構成されているが、これに限定されず、例えば上端から下端まで同径としても良い。
【００１８】
上部側壁３ａには、ノズル１４を収容するノズル収容部４が設けられている。なお、本実施形態のノズルヘッドカバー１において、ノズル収容部４が設けられている側を前方側とし、側壁３の後方側には、ノズルヘッド１３に対して着脱するための開口５が形成されている。上部側壁３ａには、開口５から前方に延びる上下一対のスリット６により係合片７が形成されている。なお、本実施形態においては、図１に示す側面視において、スリット６の前方端６ａは、装着筒１２の前後方向の中心部付近に位置する構成としているが、スリット６の形状や長さは特に限定されるものではない。
【００１９】
係合片７は、ノズルヘッド１３に対する着脱の際に径方向外側に弾性変形するとともに、ノズルヘッド１３に装着した状態においてはノズルヘッド１３の側壁外周面を係合保持して、ノズルヘッドカバー１の脱落を防止する。なお、本実施形態においては、ノズル収容部４が設けられた前方側から見て左右対称に一対の係合片７が形成されているが、これに限定されず、係合片７の形状及び数は、任意に定めることができる。
【００２０】
下部側壁３ｂの下端部には、その内面から径方向内側に突出して装着筒１２の下端面１２ａに下方から係合するフランジ８が設けられており、天壁２及びフランジ８でノズルヘッド１３と装着筒１２を上下に挟み込んでいる。フランジ８は、側壁３の周方向全域にわたって連続した形状としても良いし、間欠部を設けても良い。
【００２１】
本実施形態のノズルヘッドカバー１には、ノズルヘッド１３が装着筒１２から螺脱される過程で当該ノズルヘッド１３の上面１３ａに最初に当接する支持部として、天壁２から垂下する支持リブ９が設けられている。
【００２２】
図１（ｂ）に断面で示すように、本実施形態において支持リブ９は、ノズル収容部４の先端から延びて、スリット６の前方端６ａの手前で終端しており、支持リブ９の終端部９ａが、ノズルヘッド１３の螺脱過程で上面１３ａに最初に当接する当接位置となる。
【００２３】
また、図２（ａ）に示すように、支持リブ９は、ノズル収容部４の先端から天壁２の中心Ｃに向かって直線状に延びている。なお、本実施形態において天壁２の中心Ｃは、ノズルヘッド１３への装着状態において、装着筒１２及びノズルヘッド１３の中心軸線Ｌ上に位置する点としている。
【００２４】
ここで、図５（ａ）〜（ｃ）は、天壁２を平坦形状とし、上述の支持リブ９等の支持部を設けていないノズルヘッドカバー１０１を示しており、天壁２の構成を除いて、上述のノズルヘッドカバー１と同様の構成とされている。図５（ａ）は、ノズルヘッド１３が装着筒１２から螺脱方向に回転される際のノズルヘッドカバー１０１を平面視で示したものであり、図５（ｂ）は、図５（ａ）のノズルヘッドカバー１０１の側面図であり、図５（ｃ）は、図５（ａ）のノズルヘッドカバー１０１の側面視での断面図である。ノズルヘッドカバー１０１は、天壁２と、側壁３の内面に設けたフランジ８とによって、装着筒１２とノズルヘッド１３を上下に挟み込んで、ノズルヘッド１３の上昇を抑制している。
【００２５】
ノズルヘッド１３の上面１３ａの高さは、ノズルヘッド１３の中心軸線Ｌ上に位置するノズルヘッド１３の中心位置で最も高くなっているため、図５（ａ）に示すようにノズルヘッド１３が装着筒１２から螺脱される過程において、ノズルヘッド１３の上面１３ａが天壁２の中心Ｃに最初に当接し、ノズルヘッド１３からの上方向の力が加わることとなる。ここで、図５（ｂ）に示すように、係合片７を形成するために側壁３に設けたスリット６により、天壁２は特にスリット６の付近で変形し易くなっている。よって、天壁２の中心Ｃをノズルヘッド１３の上面１３ａにより上方に押圧されると、図５（ｂ）、（ｃ）に示すように天壁２の後方側が上方に変形してしまい、ノズルヘッド１３の上昇を抑制して螺脱を防止する効果が十分に得られない虞がある。
【００２６】
これに対して、本実施形態のノズルヘッドカバー１にあっては、天壁２に支持リブ９を設けたことにより、ノズルヘッド１３が装着筒１２から螺脱される過程において、スリット６の前方端６ａよりも前方側（ノズル収容部４側）で支持リブ９がノズルヘッド１３の上面１３ａに最初に当接する。スリット６の前方端６ａよりも前方側において、天壁２は側壁３に連結しているため剛性が高く上下方向に変形し難い。このように、支持リブ９を設けてノズルヘッド１３からの力をスリット６の影響の小さい天壁２の前方側で受けるようにしたことにより、天壁２の肉厚を厚くすることなくその変形量を低減することができる。天壁２が変形し難くなる程、ノズルヘッド１３の上昇を抑制する効果が高まるため、ノズルヘッド１３を螺脱方向に回転させる際の回転トルクが大きくなり、螺脱し難くなる。そのため、図５（ａ）〜（ｃ）に示す場合に比べて、ノズルヘッド１３の装着筒１２からの螺脱を防止する効果が高くなる。
【００２７】
以上のように、本実施形態のノズルヘッドカバー１によれば、子供のいたずら等により、ノズルヘッド１３が螺脱方向に回転された場合でも、支持リブ９を設けた天壁２とフランジ８によって上下方向にノズルヘッド１３と装着筒１２を挟み込んで、ノズルヘッド１３の上昇を抑制して、装着筒１２に螺着されたノズルヘッド１３の螺脱を防止することが可能となる。
【００２８】
なお、本実施形態のノズルヘッドカバー１にあっては、支持リブ９が、ノズル収容部４の先端から天壁２の中心Ｃに向かって延びていることにより、ノズルヘッド１３の上面１３ａからの力を、スリット６から離れた天壁２の左右の中心で受けて天壁２の変形を抑制し、ノズルヘッド１３の上昇を抑制する効果をより高めることができる。また、側面視において、支持リブ９がノズル収容部４の先端から延びて、スリット６の前方端６ａの手前で終端しているため、天壁２において剛性の高い前方側にノズルヘッド１３からの力を集中させて、ノズルヘッド１３の上昇を抑制する効果をさらに高めることができる。
【００２９】
以下、本発明の他の実施形態について説明する。なお、先の実施形態と同一又は対応する構成については、同一の符号で表し、説明を省略する。
【００３０】
図２（ｂ）は、本発明の他の実施形態に係るノズルヘッドカバー２１を示しており、天壁２から垂下する３本の支持リブ２９が平行に設けられている。３本の支持リブ２９のうち、中央の支持リブ２９ａは、先の実施形態の支持リブ９と同形状であり、両側の支持リブ２９ｂは、ノズルヘッド１３が装着筒１２から螺脱される過程において、中央の支持リブ２９ａとともにノズルヘッド１３の上面１３ａに最初に当接するよう構成されている。
【００３１】
上記のような構成のノズルヘッドカバー２１にあっては、ノズルヘッド１３からの力を３本の支持リブ２９で受けて、天壁２前方側の広い範囲に分散させることにより、天壁２をさらに変形し難くして、ノズルヘッド１３の装着筒１２からの螺脱防止効果を高めることができる。
【００３２】
図３（ａ）、（ｂ）は、本発明のさらに他の実施形態に係るノズルヘッドカバー３１を示している。本実施形態のノズルヘッドカバー３１には、天壁２に、高さが変化する境界部分に形成される段差部３９が設けられている。段差部３９は、図３（ａ）に示すように、平面視において、ノズル収容部４の延在方向（前後方向）に直交する左右方向に直線状に延びている。段差部３９は、図３（ｂ）に示すように、ノズルヘッド１３が装着筒１２から螺脱される過程で当該ノズルヘッド１３の上面１３ａに最初に当接する支持部を構成している。また、段差部３９は、スリット６の前方端６ａよりも前方側でノズルヘッド１３の上面１３ａに最初に当接するよう形成されている。
【００３３】
上記のような構成のノズルヘッドカバー３１においても、先の実施形態と同様に、スリット６の前方端６ａよりも前方側の、剛性の高い位置でノズルヘッド１３からの力を受けることで、天壁２を変形し難くして、ノズルヘッド１３の装着筒１２からの螺脱を防止する効果を十分に得ることができる。
【００３４】
図４（ａ）、（ｂ）は、本発明のさらに他の実施形態に係るノズルヘッドカバー４１を示している。本実施形態のノズルヘッドカバー４１には、天壁２に支持部としての段差部４９が設けられている。図４（ａ）に示すように、平面視において、段差部４９はノズルヘッド１３への装着状態でノズルヘッド１３の中心軸線Ｌ上の点（天壁２の中心Ｃ）を中心として円弧状に延びる湾曲部４９ａと、湾曲部４９ａの両側で左右方向に直線状に延びる直線部４９ｂとで構成されている。また、湾曲部４９ａ及び直線部４９ｂは、スリット６の前方端６ａよりも前方側に形成されている。
【００３５】
また、図４（ｂ）に示すように、段差部４９は、ノズルヘッド１３の上面１３ａに最初に当接する湾曲部４９ａ及び直線部４９ｂの下面４９ｃを、ノズルヘッド１３の上面１３ａに沿った形状としている。これにより、ノズルヘッド１３の上面１３ａに対して段差部４９を広い面積で当接させて、天壁２前方側の広い範囲に力を分散させ、天壁２をさらに変形し難くして、ノズルヘッド１３の装着筒１２からの螺脱防止効果を高めることができる。
【００３６】
本発明に従うノズルヘッドカバーは、上述した実施形態に限定されるものではなく、特許請求の範囲に従う範囲で種々の変更が可能である。例えば、本発明の支持部を、支持リブと段差部を組み合わせた構成とすることも可能である。
【符号の説明】
【００３７】
１  ノズルヘッドカバー
２  天壁
３  側壁
３ａ  上部側壁
３ｂ  下部側壁
４  ノズル収容部
５  開口
６  スリット
６ａ  スリットの前方端
７  係合片
８  フランジ
９  支持リブ
９ａ  終端部
１０  容器体
１１  口部
１２  装着筒
１２ａ  下端面
１３  ノズルヘッド
１３ａ  上面
１４  ノズル
２１  ノズルヘッドカバー
２９  支持リブ
３１  ノズルヘッドカバー
３９  段差部
４１  ノズルヘッドカバー
４９  段差部
４９ａ  湾曲部
４９ｂ  直線部
４９ｃ  下面
Ｌ  中心軸線
Ｃ  天壁の中心
【図１】
2016049991.tif 000003
【図２】
2016049991.tif 000004
【図３】
2016049991.tif 000005
【図４】
2016049991.tif 000006
【図５】
2016049991.tif 000007